(57)【特許請求の範囲】
【請求項１】
通帳に記帳等の処理を行う処理部と、新規の通帳を収納する媒体カセットと、前記処理部で記帳等の処理を行う使用中の通帳を一括収納可能な一括記帳カセットと、該一括記帳カセットを外部に引出す際に開く扉と、前記媒体カセットまたは前記一括記帳カセットから通帳を取込んでその通帳を搬送路に運んで受渡す移動可能な媒体キャリアとを有する媒体取扱装置であって、
前記扉の施錠または開錠を制御する制御部と、前記扉の開錠を通知する通知手段と、前記一括記帳カセットから通帳を取込む位置に移動した前記媒体キャリアを固定するキャリアロック部を設け、
前記制御部は、前記媒体キャリアが前記一括記帳カセットから通帳を取込める位置に移動したとき、前記キャリアロック部により前記媒体キャリアを固定し、前記扉を開錠して、前記通知手段により前記扉の開錠を通知することを特徴とする媒体取扱装置。
【請求項２】
請求項１に記載の媒体取扱装置において、
前記媒体キャリアによって前記媒体カセットから取込んだ通帳を搬送路に受渡し、該通帳が前記処理部で処理されて発行されるまでの間、前記媒体キャリアを前記一括記帳カセットから通帳を取込める位置に移動させることを特徴とする媒体取扱装置。
【請求項３】
請求項１または請求項２に記載の媒体取扱装置において、
前記通知手段は前記扉に設けたランプ部としたことを特徴とする媒体取扱装置。
【請求項４】
請求項１から請求項３のいずれか１項に記載の媒体取扱装置において、
新規通帳発行処理中に一括記帳処理を行うための一括記帳キーを表示することを特徴とする媒体取扱装置。
【発明の詳細な説明】
【技術分野】
【０００１】
本発明は、金融機関の店舗の窓口等に設置され、収納部内に格納されている媒体を管理する通帳取扱装置等の媒体取扱装置に関する。
【背景技術】
【０００２】
従来の媒体取扱装置は、一括記帳カセットや新規通帳を格納する通帳カセットを上下方向に２列に並べ、その列間に一括記帳カセットまたは通帳カセット内の通帳を搬送する第１の搬送路を設け、その第１の搬送路で搬送した通帳をその先の第２の搬送路に受渡すようにしており、顧客にすでに発行され渉外員が渉外先から一時的に預かって持ち帰った通帳を複数冊一括して収納する際は、筐体に設けられた一括記帳扉を開いて一括記帳カセットに直接複数冊の通帳を収納している（例えば、特許文献１参照。）。
【０００３】
一般の通帳取扱装置は、一括記帳カセットを外部に引出可能に構成しているものがある。また上記の列間に設けられた第１の搬送路の代わりに列間を移動して一括記帳カセットや通帳カセットから通帳を取込み、取込んだ通帳を第２の搬送路に受渡す媒体キャリアを備えているものがある。
【特許文献１】特開平０４−１３０５９９号公報（第５頁上段左列第１５行目−第５頁上段右列第８行目、第１図）
【発明の開示】
【発明が解決しようとする課題】
【０００４】
しかしながら、上述した従来の技術においては、媒体キャリアを備えた媒体取扱装置で一括記帳カセットを外部に引出す場合に、媒体キャリアの移動中に一括記帳カセットを引出してしまったときに、媒体キャリアがむき出しになってしまうことがあり、係員が移動している媒体キャリアに手で触れてしまう可能性があり、そのようなとき係員の怪我の原因となると共に媒体キャリアの動作不良の原因となる可能性があるという問題がある。
【０００５】
本発明は、上記の問題点を解決するための手段を提供することを目的とする。
【課題を解決するための手段】
【０００６】
本発明は、上記課題を解決するために、通帳に記帳等の処理を行う処理部と、新規の通帳を収納する媒体カセットと、前記処理部で記帳等の処理を行い発行済みの通帳を一括収納可能な一括記帳カセットと、該一括記帳カセットを外部に引出す際に開く扉と、前記媒体カセットまたは前記一括記帳カセットから通帳を取込んでその通帳を搬送路に運んで受渡す移動可能な媒体キャリアとを有する媒体取扱装置であって、前記扉の施錠または開錠を制御する制御部と、前記扉の開錠を通知する通知手段と、前記一括記帳カセットから通帳を取込む位置に移動した前記媒体キャリアを固定するキャリアロック部を設け、前記制御部は、前記媒体キャリアが前記一括記帳カセットから通帳を取込める位置に移動したとき、前記キャリアロック部により前記媒体キャリアを固定し、前記扉を開錠して、前記通知手段により前記扉の開錠を通知することを特徴とする。
【発明の効果】
【０００７】
これにより、本発明は、媒体キャリアが媒体収納部の最上部に位置しているときに一括記帳用扉の電磁ロック部を開錠するようにしたので、係員が一括記帳用扉を開いて媒体キャリアの引出しや収納を行う際に、媒体キャリアに触れてしまうことを防止することができるという効果が得られる。
【発明を実施するための最良の形態】
【０００８】
以下に、図面を参照して本発明による通帳取扱装置の実施例について説明する。
【実施例１】
【０００９】
図１は実施例１の通帳取扱装置を示す説明図であり、（ａ）は内部の概略構成を示し、（ｂ）は通帳取扱装置の筐体を示す。
図１において、１は媒体取扱装置としての通帳取扱装置であり、金融機関の窓口に設置されて新規通帳の発行や通帳記帳等を行う。
２は媒体収納部であり、新規通帳を所定の冊数収納可能な通帳カセット３を図１に示す左右２列で上下方向に複数並べると共に、顧客が所有する使用中の通帳を一括収納可能な一括記帳カセット４を複数並んだ通帳カセット３の右側列の最上段に配する。
【００１０】
ここで、図１（ｂ）における５は一括記帳用扉であって、通帳取扱装置１の筐体に設けられ、開放されたときに一括記帳カセット４が外部に引出し可能となり、引出された一括記帳カセット４に使用中の通帳を直接セットできるようになっている。
２ａは仕切り板であり、上下に並んだ一括記帳カセット４と通帳カセット３との間に配されて、一括記帳カセット４が引出された状態で係員が媒体収納部２内に手を入れて通帳カセット３を取り出してしまうことを防止する。
【００１１】
６は媒体キャリアであり、図示しない昇降機構によって通帳カセット３の列間を昇降移動する他、通帳カセット３や一括記帳カセット４から新規通帳や使用中の通帳を取込み、取込んだ通帳を保持して後述する搬送路１０に受渡す機能を有しており、通帳取扱装置１が動作していないときは初期位置である図１に示す媒体収納部２内の最下部に位置する。
７はキャリア検知センサであり、媒体キャリア６が最上位にある通帳カセット３および一括記帳カセット４と隣接する位置でかつ、搬送路１０に通帳を受け渡せる位置（最上部という。）まで上昇したことを検知するためのセンサである。
【００１２】
８は媒体処理部であり、通帳に設けられた磁気ストライプを読取る通帳読取部や通帳の表裏を反転させる反転部、印字ヘッドやプラテン等を備え通帳印字を行う印字部、通帳繰越が発生した場合に新しい通帳を発行するまでの間、古い通帳を一時的に保管する通帳一時保留部等によって構成される。
９は媒体挿入排出部であり、通帳印字等の処理対象となる通帳の挿入を受け入れる他、通帳印字が行われた通帳を排出する機能を有する。
【００１３】
１０は搬送路であり、対向配置されたローラあるいはベルト等により構成され、通帳を挟持して通帳取扱装置１の各部へ搬送する。
１１は通帳検知センサであり、搬送路１０に設けられており、媒体キャリア６から搬送路１０に受け渡された通帳を検知する。
１２は表示入力部であり、ＬＣＤやＣＲＴ等の表示部と、表示部上に配したタッチパネル等の入力部とによって構成されて、表示部に操作を誘導する画面や、通帳の一括記帳処理を実行するための一括記帳キー等の各種入力キーを表示し、その入力キーをタッチパネル上から指で押下することにより、入力キーに定義づけられた情報を入力できるものとなっていて、さらに入力された情報の表示等も行うようになっている。
【００１４】
図２は実施例１の通帳取扱装置を示すブロック図である。
１５は制御部であり、記憶部１６に格納された制御プログラムに従って通帳取扱装置１の各部を制御すると共に、図示しない専用回線を介して金融機関のホストコンピュータと通信可能に接続し、ホストコンピュータから通帳の未記帳情報等を取得する機能を有する。
【００１５】
１６は記憶部であり、制御プログラムを格納する他、制御部１５による処理結果等を記憶する。
１７は上記一括記帳用扉５に取り付けられる電磁ロック部であり、電磁式の駆動源としてソレノイド等によって通電時に一括記帳用扉５を施錠するように構成される。
電磁ロック部１７は、制御部１５と記憶部１６の制御プログラムに従って、一括記帳用扉５の施錠手段および開錠手段として機能する。
【００１６】
１８は扉開閉検知センサであり、発光素子と受光素子を備える光学式のセンサ等であって、一括記帳用扉５が開けられることで、発光素子からの光が遮られることで一括記帳用扉５が開いていることを検知する。
２０は排出検知センサであり、媒体挿入排出部９に設けられており、排出された通帳を検知する。
【００１７】
上述した構成の作用について説明する。
ここで、図３は処理選択画面を示す説明図である。
制御部１５は、表示入力部１２に図３に示すような新規通帳発行や複数通帳の一括記帳等の各種処理の選択キーを配した処理選択画面を表示し、一括記帳用扉５の電磁ロック１７を施錠した状態で待機する。
【００１８】
係員は表示された処理選択画面から一括記帳キーを押下する。
制御部１５は、一括記帳キーの押下を認識すると、媒体キャリア６を最上部まで上昇させることで、媒体キャリア６を一括記帳カセット４に隣接して、かつ搬送路１０に通帳を受渡すことができる位置に停止させる。
ここで、図４は一括記帳用扉の開放を促す画面を示す説明図である。
【００１９】
制御部１５は、キャリア検知センサ７によって媒体キャリア６を検知すると、電磁ロック部１７への通電を止めることで一括記帳用扉５を開錠し、表示入力部１２に一括記帳用扉５を開いて一括記帳カセット４を引出して使用中の通帳を収納するように促す旨の画面を表示する。
係員は一括記帳用扉５を開けて一括記帳カセット４を外部に引出し、その一括記帳カセット４内に使用中の通帳を一括して収納し、一括記帳カセット４を通帳取扱装置１内に戻して一括記帳用扉５を閉じる。
【００２０】
制御部１５は、扉開閉検知センサ１８によって一括記帳用扉５が閉じられたことを認識すると、媒体キャリア６によって一括記帳カセット４から通帳を一冊ずつ取込むと共に、その取込んだ通帳を搬送路１０に受渡していく。
その後、制御部１５は、搬送路１０によって通帳を媒体処理部８に搬送し、媒体処理部８の通帳読取部で磁気ストライプから口座番号を読取って、その口座番号をもとにホストコンピュータと交信処理を行って未記帳情報を取得し、記憶部１６に記憶する。
【００２１】
そして、記憶した未記帳情報に基づいて媒体処理部８の通帳印字部で通帳印字を行って、さらに搬送路１０によってその通帳を媒体挿入排出部９に搬送して排出し、全ての通帳に対して同様に通帳印字を行い、印字が済んだ通帳を媒体挿入排出部９から排出して一括記帳処理を終了する。
なお、制御部１５は排出検知センサ２０によって全ての通帳が排出されたことを検知してから、媒体キャリア６を初期位置に戻すようにする。
【００２２】
次に、通帳取扱装置１が係員の入力操作により新規通帳発行の処理を実行中に、別の係員による入力操作で一括記帳処理を実行する場合の動作を、図５に示す実施例１の新規通帳発行と一括記帳を並行して実行する際の動作を示すフローチャートを用い、新規通帳発行に関わる処理はＳで示すステップ、一括記帳に関わる処理はＳＡで示すステップに従って説明する。
【００２３】
Ｓ１、制御部１５は、表示入力部１２に処理選択画面を表示し、一括記帳用扉５の電磁ロック１７を施錠した状態で待機する。
係員は、表示された処理選択画面から新規通帳発行キーを押下する。
Ｓ２、制御部１５は、新規通帳発行キーの押下を認識すると、表示入力部１２に口座番号の入力を促す文言や口座番号入力欄等を配した口座番号入力画面を表示する。
【００２４】
係員は、口座番号入力画面に従って発行する通帳の口座番号を入力する。
Ｓ３、制御部１５は、入力された口座番号に基づいてホストコンピュータと交信処理を行い、未記帳情報を取得して記憶部１６に記憶し、媒体キャリア６を通帳カセット３に隣接する位置まで上昇させ、その媒体キャリア６によって通帳カセット３から新規通帳を１冊取込んでその新規通帳を保持したまま、媒体キャリア６を最上位まで上昇させて搬送路１０に保持した新規通帳を送り出す。
【００２５】
Ｓ４、制御部１５は、搬送路１０によって新規通帳を媒体処理部８に搬送し、記憶した未記帳情報に基づいて媒体処理部８の印字部で新規通帳に印字を行う。
Ｓ５、制御部１５は、未記帳情報の印字を行った新規通帳を媒体挿入排出部９に搬送して媒体挿入排出部９から排出し、新規通帳発行処理を終了する。
以下に、一括記帳処理の動作について説明するが、これは上記ステップＳ３以降の動作と並行して行うものである。
【００２６】
ここで、図６は新規通帳発行処理中に一括記帳処理を受付ける一括記帳画面を示す説明図である。
ＳＡ１、制御部１５は、上記ステップＳ３で口座番号が入力された後、キャリア検知センサ７で媒体キャリア６を検知、つまり媒体キャリア６が最上部に位置していることを確認し、通帳検知センサ１１によって媒体キャリア６から搬送路１０に受け渡された新規通帳を検知ときに表示入力部１２に図６に示すように新規通帳発行中である旨と共に、一括記帳処理が実行可能である旨の文言、一括記帳キー等を配した一括記帳画面を表示する。
【００２７】
ＳＡ２、制御部１５は、電磁ロック部１７への通電を切ることで一括記帳用扉５を開錠して、表示入力部１２に一括記帳用扉５の開放および一括記帳カセット４への通帳のセットを促す画面を表示する。
係員は、表示された画面に従って一括記帳用扉５を開放し、一括記帳カセット４を引き出して複数冊の通帳をセットする。
【００２８】
そして、一括記帳カセット４を通帳取扱装置１に戻して一括記帳用扉５を閉じる。
ＳＡ３、制御部１５は、扉開閉検知センサ１８によって一括記帳用扉５が閉じられたことを認識し、排出検知センサ２０で既に媒体処理部８に搬送された新規通帳が排出されたことを検知したとき、媒体キャリア６によって一括記帳カセット４から通帳を１冊ずつ取込むと共に、取込んだ通帳を順次搬送路１０に受け渡していく。
【００２９】
ＳＡ４、制御部１５は、搬送路１０によって通帳を媒体処理部８に搬送し、媒体処理部８の通帳読取部で磁気ストライプから口座番号を読取って、その口座番号をもとにホストコンピュータと交信処理を行って未記帳情報を取得し、記憶部１６に記憶しておき、その未記帳情報に基づいて媒体処理部８の印字部で通帳印字を行う。
ＳＡ５、制御部１５は、印字を行った通帳を順次媒体挿入排出部９に搬送していき、媒体挿入排出部９によって係員に排出して一括記帳処理を終了する。
【００３０】
以上説明したように、本実施例においては、媒体キャリアが媒体収納部の最上部に位置しているときに一括記帳用扉の電磁ロック部を開錠するようにしたので、係員が一括記帳用扉を開いて媒体キャリアの引出しや収納を行う際に媒体キャリアに触れてしまうことを防止することができる。
さらに、一括記帳用扉を開放したとき、一括記帳カセットと対向配置された通帳カセットとの間に媒体キャリアが位置し、一括記帳カセットを引出しても係員から内部を見て、媒体キャリアが通帳カセットの手前に位置するので、通帳カセットやそこに収納された新規通帳を係員が勝手に引出してしまうことを防止することができる。
【実施例２】
【００３１】
図７は実施例２の通帳取扱装置を示す説明図であり、（ａ）は内部の概略構成図、（ｂ）は通帳取扱装置の筐体を示す。
なお、上記実施例１と同様の部分は、同一の符号を付してその説明を省略する。
図７において、２５はキャリアロック部であり、媒体収納部２内に設けられており、最上部まで上昇した媒体キャリア６を最上部に固定する機能を有する。
【００３２】
２７はランプ部であり、ＬＥＤ等を用いて構成され、一括記帳用扉５に設置されて電磁ロック部１７が開錠している状態のときに点灯することで、係員に開錠していることを伝える。
上述した構成の作用について、図８に示す実施例２の新規通帳発行と一括記帳を並行して実行する際の動作を示すフローチャートを用い、新規通帳発行に関わる処理はＳＢで示すステップ、一括記帳に関わる処理はＳＣで示すステップに従って説明する。
【００３３】
ＳＢ１、制御部１５は、表示入力部１２に処理選択画面を表示し、一括記帳用扉５の電磁ロック１７を施錠した状態で待機する。
係員は、表示された処理選択画面から新規通帳発行キーを押下する。
ＳＢ２、制御部１５は、新規通帳発行キーの押下を認識すると、表示入力部１２に口座番号の入力を促す文言や口座番号入力欄等を配した口座番号入力画面を表示する。
【００３４】
係員は、口座番号入力画面に従って発行する通帳の口座番号を入力する。
ＳＢ３、制御部１５は、入力された口座番号に基づいてホストコンピュータと交信処理を行い、未記帳情報を取得して記憶部１６に記憶し、媒体キャリア６を通帳カセット３に隣接する位置まで上昇させ、その媒体キャリア６によって通帳カセット３から通帳を１冊取込んでその通帳を保持したまま、媒体キャリア６を最上部まで上昇させる。
【００３５】
ＳＢ４、制御部１５は、媒体キャリア６で保持する通帳を搬送路１０に送り出し、通帳検知センサ１１によって媒体キャリア６から通帳が搬送路１０に受け渡されたことを検知したときに、キャリアロック部２５で媒体キャリア６を最上部で固定する。
ＳＢ５、制御部１５は、搬送路１０によって新規通帳を媒体処理部８に搬送し、記憶部１６から未記帳情報を読み出し、その未記帳情報に基づいて媒体処理部８の印字部で新規通帳に印字を行う。
【００３６】
ＳＢ６、制御部１５は、未記帳情報の印字を行った通帳を媒体挿入排出部９に搬送して、媒体挿入排出部９から排出し、新規通帳発行処理を終了する。
以下に、一括記帳の処理の動作について説明するが、これは上記ステップＳＢ４以降の動作と並行して行うものである。
ＳＣ１、制御部１５は、上記ステップＳＢ４で媒体キャリア６を固定した後、キャリア検知センサ７で媒体キャリア６を検知、つまり媒体キャリア６が最上部に位置していることを確認してから、電磁ロック部１７への通電を切ることで一括記帳用扉５を開錠する。
【００３７】
ＳＣ２、制御部１５は、ランプ部２７を点灯させる。
係員は、表示された画面に従って一括記帳用扉５を開放し、一括記帳カセット４を引出して複数冊の通帳をセットし、一括記帳カセット４を通帳取扱装置１に戻して一括記帳用扉５を閉じる。
通帳検知センサ１１によって媒体キャリア６から搬送路１０に受け渡された通帳を検知ときに電磁ロック部１７への通電を切ることで一括記帳用扉５を開錠する。
【００３８】
ＳＣ３、制御部１５は、扉開閉検知センサ１８によって一括記帳用扉５が閉じられたことを認識すると、電磁ロック部１７を通電状態にして一括記帳用扉５を閉錠すると共にランプ部２７を消灯する。
ＳＣ４、制御部１５は、排出検知センサ２０で既に媒体処理部８に搬送された新規通帳が排出されたことを検知してから、媒体キャリア６によって一括記帳カセット４から通帳を１冊ずつ取込むと共に、取込んだ通帳を順次搬送路１０に受け渡していく。
【００３９】
ＳＣ５、制御部１５は、搬送路１０によって通帳を媒体処理部８に搬送し、媒体処理部８の通帳読取部で磁気ストライプから口座番号を読取って、その口座番号をもとにホストコンピュータと交信処理を行って未記帳情報を取得し、記憶部１６に記憶しておき、その未記帳情報に基づいて媒体処理部８の印字部で通帳印字を行う。
ＳＣ６、制御部１５は、印字を行った通帳を順次媒体挿入排出部９に搬送していき、媒体挿入排出部９によって係員に排出して一括記帳処理を終了する。
【００４０】
以上説明したように、本実施例では、上記実施例１の効果に加えて、キャリアロック部とランプ部とを設け、新規通帳を搬送路に受け渡した後、キャリアロック部で媒体キャリアを固定してから、電磁ロック部を開錠してランプ部を点灯させるようにし、そのときに一括記帳用扉を開放可能となるようにしたので、係員にとっては新規通帳発行処理中に行う一括記帳処理を表示入力部による入力操作を行うことなく実行できるという効果が得られる。
【００４１】
また、キャリアロック部を設けたことによって、一括記帳カセットが引出されたときに、何らかの原因で媒体キャリアが下降して媒体収納部内がむき出しになってしまうのを防止することができる。
【図面の簡単な説明】
【００４２】
【図１】実施例１の通帳取扱装置を示す説明図
【図２】実施例１の通帳取扱装置を示すブロック図
【図３】処理選択画面を示す説明図
【図４】一括記帳用扉の開放を促す画面を示す説明図
【図５】実施例１の新規通帳発行と一括記帳を並行して実行する際の動作を示すフローチャート
【図６】新規通帳発行処理中に一括記帳処理を受付ける一括記帳画面を示す説明図
【図７】実施例２の通帳取扱装置を示す説明図
【図８】実施例２の新規通帳発行と一括記帳を並行して実行する際の動作を示すフローチャート
【符号の説明】
【００４３】
１    通帳取扱装置
２    媒体収納部
２ａ  仕切り板
３    通帳カセット
４    一括記帳カセット
５    一括記帳用扉
６    媒体キャリア
７    キャリア検知センサ
８    媒体処理部
９    媒体挿入排出部
１０  搬送路
１１  通帳検知センサ
１２  表示入力部
１５  制御部
１６  記憶部
１７  電磁ロック部
１８  扉開閉検知センサ
２０  排出検知センサ
２５  キャリアロック部
２７  ランプ部
【図１】
0005205943.tif 000002
【図２】
0005205943.tif 000003
【図３】
0005205943.tif 000004
【図４】
0005205943.tif 000005
【図５】
0005205943.tif 000006
【図６】
0005205943.tif 000007
【図７】
0005205943.tif 000008
【図８】
0005205943.tif 000009